(57)【要約】【課題】即時性を要求する画像送信と、多機能性を要求する機能とを使い分けできるようにする。【解決手段】特定の操作手段への操作に応じて前記送信手段により外部機器へ前記表示手段に表示されている画像を送信する処理を行う第１の設定、及び、前記特定の操作手段への操作に応じて、前記表示手段に表示されている画像の送信を指示するためのアイテムを含む複数のアイテムを表示する処理を行う第２の設定を含む複数の設定のいずれかをユーザの選択操作に応じて設定する設定手段と、前記外部機器との無線接続の状態が特定の条件を満たす接続状態である場合には、前記特定の操作手段への操作に応じて前記設定手段での設定に従った処理を実行し、前記外部機器との無線接続の状態が前記特定の条件を満たさない場合には、前記設定手段での設定にかかわらず、前記特定の操作手段への操作に応じて前記複数のアイテムを表示するように制御する制御手段とを有する。【選択図】図２
2019197949.tif 000002
【特許請求の範囲】
【請求項１】
画像を表示手段に表示するように制御する表示制御手段と、
無線接続された外部機器へ画像を送信する送信手段と、
特定の操作手段への操作に応じて前記送信手段により外部機器へ前記表示手段に表示されている画像を送信する処理を行う第１の設定、及び、前記特定の操作手段への操作に応じて、前記表示手段に表示されている画像の送信を指示するためのアイテムを含む複数のアイテムを表示する処理を行う第２の設定を含む複数の設定のいずれかをユーザの選択操作に応じて設定する設定手段と、
前記外部機器との無線接続の状態が特定の条件を満たす接続状態である場合には、前記特定の操作手段への操作に応じて前記設定手段での設定に従った処理を実行し、前記外部機器との無線接続の状態が前記特定の条件を満たさない場合には、前記設定手段での設定にかかわらず、前記特定の操作手段への操作に応じて前記複数のアイテムを表示するように制御する制御手段と、
を有することを特徴とする電子機器。
【請求項２】
前記特定の条件を満たす接続状態は、ＦＴＰによる無線接続がされた状態であることを特徴とする請求項１に記載の電子機器。
【請求項３】
前記制御手段は、
前記外部機器との無線接続の状態が前記特定の条件を満たす接続状態である場合に、前記表示手段に表示されている画像が静止画である場合は、前記特定の操作手段への操作に応じて前記設定手段での設定に従った処理を実行し、
前記外部機器との無線接続の状態が前記特定の条件を満たす接続状態である場合でも、前記表示手段に表示されている画像が動画である場合は、前記設定手段での設定にかかわらず、前記特定の操作手段への操作に応じて前記複数のアイテムを表示するように制御することを特徴とする請求項１または２に記載の電子機器。
【請求項４】
前記制御手段は、前記外部機器との無線接続の状態が前記特定の条件を満たしており、前記表示手段に表示されている画像が静止画である場合に、前記特定の操作部材に対する操作に応じて前記外部機器への画像の送信を開始することを示すガイドを前記画像と共に前記表示手段に表示し、
前記表示制御手段は、前記外部機器との無線接続の状態が前記特定の条件を満たしていない場合と、前記表示手段に表示された画像が静止画ではなく動画である場合には、前記ガイドを表示しないように制御することを特徴とする請求項１〜３の何れか１項に記載の電子機器。
【請求項５】
画像を表示手段に表示するように制御する表示制御手段と、
無線接続された外部機器へ画像を送信する送信手段と、
特定の操作手段への操作に応じて前記送信手段により外部機器へ前記表示手段に表示されている画像を送信する処理を行う第１の設定、及び、前記特定の操作手段への操作に応じて前記表示手段に表示されている画像の送信を指示するためのアイテムを含む複数のアイテムを表示する処理を行う第２の設定を含む複数の設定の何れかをユーザの選択操作に応じて設定する設定手段と、
前記表示手段に表示されている画像が静止画である場合は、前記特定の操作手段への操作に応じて前記設定手段での設定に従った処理を実行し、前記表示手段に表示されている画像が動画である場合は、前記設定手段での設定にかかわらず、前記特定の操作手段への操作に応じて前記複数のアイテムを表示するように制御する制御手段と、
を有することを特徴とする電子機器。
【請求項６】
前記送信手段は、ＦＴＰによる無線接続が可能であり、
前記表示手段に表示されている画像が静止画である場合に、前記制御手段は、前記外部機器とＦＴＰによる接続がされている場合は、前記特定の操作手段への操作に応じて前記設定手段での設定に従った処理を実行するように制御し、前記外部機器とＦＴＰによる接続がされていない場合は、前記特定の操作手段への操作に応じて、前記設定手段での設定にかかわらず、前記複数のアイテムを表示するように制御することを特徴とする請求項５に記載の電子機器。
【請求項７】
前記制御手段は、前記外部機器とＦＴＰによる接続がされており、前記表示手段に表示されている画像が静止画である場合に、前記特定の操作部材に対する操作に応じて前記外部機器への画像の送信を開始することを示すガイドを前記画像と共に前記表示手段に表示し、
前記表示制御手段は、前記外部機器とＦＴＰによる接続がされていない場合と、前記表示手段に表示された画像が静止画ではなく動画である場合には、前記ガイドを表示しないように制御することを特徴とする請求項６に記載の電子機器。
【請求項８】
前記制御手段は、前記外部機器とＦＴＰによる接続がされている場合で、静止画を前記外部機器に送信する場合に、前記静止画をリサイズせずに送信するよう制御することを特徴とする請求項２、６、７の何れか１項に記載の電子機器。
【請求項９】
前記制御手段は、前記外部機器とＦＴＰ接続ではない無線ＬＡＮ接続がされている場合で、前記静止画を前記外部機器に送信する場合に、前記静止画をリサイズして送信するよう制御することを特徴とする請求項８に記載の電子機器。
【請求項１０】
前記制御手段は、前記外部機器とＦＴＰによる接続がされている場合で、動画を前記外部機器に送信する場合に、前記動画をトランスコードせずに送信するよう制御することを特徴とする請求項２、６〜９の何れか１項に記載の電子機器。
【請求項１１】
前記制御手段は、前記外部機器とＦＴＰ接続ではない無線ＬＡＮ接続がされている場合で、前記動画を前記外部機器に送信する場合に、前記動画をトランスコードして送信するよう制御することを特徴とする請求項１０に記載の電子機器。
【請求項１２】
前記表示手段に表示されている画像が動画である場合に、前記複数のアイテムには、少なくとも前記動画の再生を指示するためのアイテムを含むことを特徴とする請求項１〜１１の何れか１項に記載の電子機器。
【請求項１３】
前記表示手段に表示されている画像が静止画の場合に前記複数のアイテムを表示する場合は、前記複数のアイテムのうち、前記静止画の送信を指示するためのアイテムを初期選択して表示し、前記表示手段に表示されている画像が動画の場合に前記複数のアイテムを表示する場合は、前記複数のアイテムのうち、前記動画の再生を指示するためのアイテムを初期選択して表示することを特徴とする請求項１２に記載の電子機器。
【請求項１４】
撮像手段を更に有し、
前記送信手段によって前記外部機器に送信される画像は、前記撮像手段で撮像された画像であることを特徴とする請求項１〜１３の何れか１項に記載の電子機器。
【請求項１５】
前記送信手段によって前記外部機器に送信される画像は、撮像手段で撮像された画像であり、画像のリサイズ及びトランスコードの処理の間は、前記撮像手段での撮像が行えないことを特徴とする請求項８〜１１の何れか１項に記載の電子機器。
【請求項１６】
前記制御手段は、撮像された１つの画像が再生され前記表示手段に表示されている際に前記制御を行うことを特徴とする請求項１〜１５の何れか１項に記載の電子機器。
【請求項１７】
画像を表示手段に表示するように制御する表示制御工程と、
無線接続された外部機器へ画像を送信する送信工程と、
特定の操作手段への操作に応じて前記送信工程により外部機器へ前記表示手段に表示されている画像を送信する処理を行う第１の設定、及び、前記特定の操作手段への操作に応じて、前記表示手段に表示されている画像の送信を指示するためのアイテムを含む複数のアイテムを表示する処理を行う第２の設定を含む複数の設定のいずれかをユーザの選択操作に応じて設定する設定工程と、
前記外部機器との無線接続の状態が特定の条件を満たす接続状態である場合には、前記特定の操作手段への操作に応じて前記設定工程での設定に従った処理を実行し、前記外部機器との無線接続の状態が前記特定の条件を満たさない場合には、前記設定工程での設定にかかわらず、前記特定の操作手段への操作に応じて前記複数のアイテムを表示するように制御する制御工程と、
を有することを特徴とする電子機器の制御方法。
【請求項１８】
画像を表示手段に表示するように制御する表示制御工程と、
無線接続された外部機器へ画像を送信する送信工程と、
特定の操作手段への操作に応じて前記送信工程により外部機器へ前記表示手段に表示されている画像を送信する処理を行う第１の設定、及び、前記特定の操作手段への操作に応じて前記表示手段に表示されている画像の送信を指示するためのアイテムを含む複数のアイテムを表示する処理を行う第２の設定を含む複数の設定の何れかをユーザの選択操作に応じて設定する設定工程と、
前記表示手段に表示されている画像が静止画である場合は、前記特定の操作手段への操作に応じて前記設定工程での設定に従った処理を実行し、前記表示手段に表示されている画像が動画である場合は、前記設定工程での設定にかかわらず、前記特定の操作手段への操作に応じて前記複数のアイテムを表示するように制御する制御工程と、
を有することを特徴とする電子機器の制御方法。
【請求項１９】
コンピュータを、請求項１〜１５の何れか１項に記載の電子機器の各手段として機能させるためのプログラム。
【請求項２０】
コンピュータを、請求項１〜１５の何れか１項に記載の電子機器の各手段として機能させるためのプログラムを記憶したコンピュータが読み取り可能な記憶媒体。
【発明の詳細な説明】
【技術分野】
【０００１】
本発明は、特に、画像を外部機器に転送するために用いて好適な電子機器、電子機器の制御方法、プログラム及び記憶媒体に関する。
【背景技術】
【０００２】
従来、ネットワークを経由して画像データを外部機器へ転送することが行われている。特にＦＴＰ（File Transfer Protocol）接続時においては、即時に画像を送信できるようにすることが望ましい。そこで、１つのボタンを操作することによって画像を送信できるようにすることが提案されている。特許文献１には、画像を再生している状態で所定のボタンを押すことで、再生中の画像データを転送する技術が開示されている。また、特許文献２には、複数のアサインボタンに様々な機能を割り当てることが可能な技術が開示されている。
【先行技術文献】
【特許文献】
【０００３】
【特許文献１】特開２００５−１３５３１６号公報
【特許文献２】特開２０１６−１９２１８９号公報
【発明の概要】
【発明が解決しようとする課題】
【０００４】
しかしながら、複数の画像を選択してまとめて画像を送信したり、選択した画像にプロテクトを設定したりするなど、他の操作を行いたい場合もある。したがって、即時に画像を送信するためのボタンを割り当ててしまうと、他の機能を使用したい場合に多機能性が低下してしまう可能性がある。
【０００５】
特許文献１に記載の方法では、画像の転送以外の操作を行いたい場合には、所定のボタンとは異なる他のボタンが必要となる。特許文献２に記載の方法では、即時に送信できるよう画像の転送をアサインボタンに割り当てた場合、アサインボタンの数に限りがあるため、ユーザが実行可能な機能の数も限られてしまう。
【０００６】
本発明は前述の問題点に鑑み、即時性を要求する画像送信と、多機能性を要求する機能とを使い分けできるようにすることを目的としている。
【課題を解決するための手段】
【０００７】
本発明に係る電子機器は、画像を表示手段に表示するように制御する表示制御手段と、無線接続された外部機器へ画像を送信する送信手段と、特定の操作手段への操作に応じて前記送信手段により外部機器へ前記表示手段に表示されている画像を送信する処理を行う第１の設定、及び、前記特定の操作手段への操作に応じて、前記表示手段に表示されている画像の送信を指示するためのアイテムを含む複数のアイテムを表示する処理を行う第２の設定を含む複数の設定のいずれかをユーザの選択操作に応じて設定する設定手段と、前記外部機器との無線接続の状態が特定の条件を満たす接続状態である場合には、前記特定の操作手段への操作に応じて前記設定手段での設定に従った処理を実行し、前記外部機器との無線接続の状態が前記特定の条件を満たさない場合には、前記設定手段での設定にかかわらず、前記特定の操作手段への操作に応じて前記複数のアイテムを表示するように制御する制御手段と、を有することを特徴とする。
【発明の効果】
【０００８】
本発明によれば、即時性を要求する画像送信と、多機能性を要求する機能とを使い分けすることができる。
【図面の簡単な説明】
【０００９】
【図１】実施形態のデジタルカメラの外観構成例を示す図である。
【図２】実施形態に係るデジタルカメラの内部構成例を示すブロック図である。
【図３】ＦＴＰ転送が不可能な状態での再生モードの表示例を示す図である。
【図４】ＳＥＴボタンにＦＴＰ転送を開始する機能を割り当てるための画面の表示例を示す図である。
【図５】ＦＴＰ転送が可能な状態で接続されているが、ＳＥＴボタンにＦＴＰ転送を開始する機能を割り当てていない場合の再生モードの表示例を示す図である。
【図６】ＦＴＰ転送が可能な状態で接続され、ＳＥＴボタンにＦＴＰ転送を開始する機能を割り当てている場合の再生モードの表示例を示す図である。
【図７】再生モードにおける処理手順の一例を示すフローチャートである。
【発明を実施するための形態】
【００１０】
（第１の実施形態）
以下、図面を参照して本発明の好適な実施形態を説明する。
図１（ａ）及び図１（ｂ）は、本実施形態の電子機器の一例としてのデジタルカメラ１００の外観構成例を示す図である。図１（ａ）はデジタルカメラ１００の前面斜視図であり、図１（ｂ）はデジタルカメラ１００の背面斜視図である。また、図２は、本実施形態に係るデジタルカメラ１００の内部構成例を示すブロック図である。
【００１１】
図１において、表示部２８は画像や各種情報を表示する、カメラ背面に設けられた表示部である。シャッターボタン６１は撮影指示を行うための操作部である。端子カバー４０は外部機器との接続ケーブルとデジタルカメラ１００とを接続する接続ケーブル等のコネクタ（不図示）を保護するカバーである。
【００１２】
電子ダイヤル７１は操作部７０に含まれる回転操作部材であり、この電子ダイヤル７１を回すことで、シャッター速度や絞りなどの設定値の変更や画像送りなどを行うことができる。電源スイッチ７２はデジタルカメラ１００の電源のＯＮ及びＯＦＦを切り替える操作部材である。
【００１３】
上下左右ボタン７４は操作部７０に含まれ、上、下、左、右部分をそれぞれ押し込み可能な方向キー（４方向キー）である。上下左右ボタン７４の押した部分に応じた操作が可能である。ＳＥＴボタン７５は操作部７０に含まれ、押しボタンであり、主に選択項目の決定などに用いられる。録画ボタン７６は操作部７０に含まれ、動画撮影（記録）の開始、停止の指示に用いられる。ＭＥＮＵボタン７７は操作部７０に含まれ、撮影モードとメニューモードとを切り替える操作ボタンである。撮影モード中にＭＥＮＵボタン７７を押下することでメニューモードに移行し、撮影に関する各種設定画面を表示部２８に表示させ、確認や変更をすることができる。
【００１４】
ＩＮＦＯボタン７８は操作部７０に含まれ、撮影モードや再生モードで表示される情報を変更する操作ボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像データのうち最新の画像を表示部２８に表示させることができる。
【００１５】
次に、図２を参照しながら、本実施形態に係るデジタルカメラ１００の内部構成について説明する。
図２において、レンズユニット１５０は、交換可能な撮影レンズを搭載するレンズユニットである。
【００１６】
レンズ１０３は通常、複数枚のレンズから構成されるが、ここでは簡略して一枚のレンズのみで示している。通信端子６はレンズユニット１５０がデジタルカメラ１００側と通信を行うための通信端子であり、通信端子１０はデジタルカメラ１００がレンズユニット１５０側と通信を行うための通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００１７】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１８】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。
【００１９】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像データや所定時間の動画像データおよび音声データを格納するのに十分な記憶容量を備えている。
【００２０】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダーとして機能し、スルー画像表示（ライブビュー表示）を行える。
【００２１】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２２】
システム制御部５０は、デジタルカメラ１００全体を制御する。前述した不揮発性メモリ５６に記録されたプログラムを実行することで、後述する本実施形態の各処理を実現する。システムメモリ５２は、例えばＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１９、表示部２８等を制御することにより表示制御も行う。
【００２３】
システムタイマー５３は各種制御に用いる時間や、内蔵された時計の時間を計測する計時部である。通信部５４は、外部機器と通信可能で、無線ＬＡＮによる無線接続または有線接続により外部機器への画像の送信や、外部機器からデジタルカメラの制御を行うことができる。本実施形態では、無線接続の方式として、少なくともＷｉ−Ｆｉ（登録商標）接続（無線ＬＡＮ接続）による方式と、ＦＴＰ接続による方式とを用いることができ、操作部７０からの指示によりメニュー画面等から無線接続の方式を選択することができる。
【００２４】
モード切替スイッチ６０、第１シャッタースイッチ６２、第２シャッタースイッチ６４、操作部７０はシステム制御部５０に各種の動作指示を入力するための操作手段である。
【００２５】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。あるいは、モード切替スイッチ６０で撮影モードの一覧画面に一旦切り替えた後に、表示された複数のモードのいずれかを選択し、他の操作部材を用いて切り替えるようにしてもよい。同様に、動画撮影モードにも複数のモードが含まれていてもよい。
【００２６】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２７】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２８】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、ＭＥＮＵボタン７７が押されると各種の設定可能なメニュー画面が表示部２８に表示される。利用者は、表示部２８に表示されたメニュー画面と、上下左右ボタン７４やＳＥＴボタン７５とを用いて直感的に各種設定を行うことができる。
【００２９】
以上のように操作部７０は、ユーザからの操作を受け付ける入力部としての各種操作部材である。操作部７０には、少なくとも電子ダイヤル７１、上下左右ボタン７４、ＳＥＴボタン７５、録画ボタン７６、ＭＥＮＵボタン７７、ＩＮＦＯボタン７８、および再生ボタン７９が含まれる。
【００３０】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３１】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像データを記録するためのメモリカード等の記録媒体であり、半導体メモリや磁気ディスク等から構成される。
【００３２】
以下、図３から図７を参照して、本実施形態における画像転送の動作を説明する。
図３は、ＦＴＰによる転送（以下、ＦＴＰ転送）が可能な状態で接続されていない場合の再生モードの表示例を示す図である。図３（ａ）は静止画の表示例を示し、図３（ｂ）は動画の表示例を示している。アイコン３０１はＳＥＴボタン７５を押下することで再生メニューを表示して動画を再生できることを示している。上下左右ボタン７４の左右ボタンまたは電子ダイヤル７１を操作することで、現在表示している画像の前後の画像に変更することができ、変更後の画像が静止画か動画かにより、図３（ａ）または図３（ｂ）の表示になる。
【００３３】
図３（ｃ）は、静止画の再生メニューの画面を示しており、図３（ａ）に示す画像を表示中にＳＥＴボタン７５を押下することで表示される。アイコン３０２は画像プロテクトに係るアイコンであり、アイコン３０２を選択することによって、表示中の画像を読み取り専用にするかどうかを設定できる。アイコン３０３は画像の回転に関するアイコンであり、アイコン３０３を選択することによって、表示中の画像を回転なしで表示するか、右に９０度回転して表示するか、左に９０度回転して表示するか設定できる。アイコン３０４はスマートフォンへ画像データを送信するためのアイコンであり、アイコン３０４を選択することによって、スマートフォンへ送信する画像データを選択して送信することができる。アイコン３０５は動画の再生を指示するためのアイコンであるが、静止画が表示されているため、選択できない表示となっている。なお、静止画の再生メニューの初期フォーカス（初期選択）は、前回再生メニューを終了した項目（アイコン）とする。この画面では機能性が重視されていることから、前回再生メニューを終了したフォーカスの内容が選択される可能性が高く、前回再生メニューを終了した際に選択していた項目を初期フォーカスとすることにより、操作性をより向上させることができる。
【００３４】
図３（ｄ）は、動画の再生メニューの画面を示しており、図３（ｂ）に示す画像を表示中にＳＥＴボタン７５を押下することで表示される。アイコン３０６は画像プロテクトに係るアイコンで、アイコン３０３と同様である。アイコン３０７は画像の回転に関するアイコンで、アイコン３０４と同様であるが、表示中の画像は動画で回転できないため、選択できない表示となっている。アイコン３０８はスマートフォンへ画像データを送信するためのアイコンで、アイコン３０４と同様である。アイコン３０９は動画の再生を指示するためのアイコンであり、アイコン３０９を選択することによって、動画の再生を開始することができる。なお、動画の再生メニューの初期フォーカスは必ずアイコン３０９とする。動画の場合は再生を選択する可能性が最も高いことから、操作性をより向上させるために、アイコン３０９を初期フォーカスに設定している。
【００３５】
図３（ｅ）は、スマートフォンへ送信可能な状態で接続されていない場合の画面の例を示している。デジタルカメラ１００とスマートフォンとがＷｉ−Ｆｉ接続していない状態でアイコン３０４またはアイコン３０８を選択した場合に表示される。
【００３６】
図３（ｆ）は、スマートフォンへ送信可能な状態で接続されている場合の画面の例を示している。デジタルカメラ１００とスマートフォンとがＷｉ−Ｆｉ接続している状態でアイコン３０４またはアイコン３０８を選択した場合に表示される。設定３１０はリサイズの設定であり、静止画ならリサイズするか、動画ならトランスコードするか、または、そのままのサイズで送るかを設定できる。スマートフォンへ送信する画像データのサイズを小さくすることで、通信で消費する電力を節約したり、スマートフォンの空き容量を節約したりすることができる。図３（ｆ）に示す例では、項目３１１は送信開始が選択されており、この内容を選択すると表示中の画像をスマートフォンへ送信することができる。
【００３７】
図３（ｇ）は、スマートフォンへ画像データを送信中の間に表示される画面の例を示している。リサイズやトランスコードを行った場合はカメラ操作等が制限される。したがって、送信中においても撮影を行ったり、他の画像に切り替えたりすることはできない。
図３（ｈ）は、動画再生中の表示例を示している。アイコン３０９を選択することで、図３（ｈ）に示すように、動画再生が開始される。
【００３８】
図４は、ＳＥＴボタン７５にＦＴＰ転送を開始する機能を割り当てるための画面の表示例を示す図である。図４（ａ）は、現在の設定の表示を示しており、枠４０１が「ＳＥＴボタンで転送」に選択されると、図４（ｂ）に示すように、ＳＥＴボタン７５を押下してＦＴＰ転送を開始するか否かを設定するための画面が表示される。図４（ｂ）に示す画面において、ＳＥＴボタン７５の押下でＦＴＰ転送しないか、ＦＴＰ転送するかを選択できる。
【００３９】
図５は、ＦＴＰ転送が可能な状態で接続されている場合の再生モードで、図４（ｂ）の画面で「しない」が選択されている場合の表示例を示す図である。なお、図５（ａ）及び図５（ｂ）に示す画面は、それぞれ図３（ａ）及び図３（ｂ）に示す画面と同様である。
【００４０】
図５（ｃ）は、静止画の再生メニューの画面を示しており、図３（ｃ）に示す画面と比べ、一部のアイコンが異なっている。アイコン５０４は表示中の画像をＦＴＰ転送するためのアイコンである。なお、静止画の再生メニューの初期フォーカスは、アイコン５０４とする。図３（ｃ）に示す例とは異なり、ＦＴＰ接続されている場合は画像をなるべく即時に転送することも想定されていることから、アイコン５０４を初期フォーカスに設定し、操作性をより向上させている。
【００４１】
図５（ｄ）は、動画の再生メニューの画面を示しており、図３（ｄ）に示す画面と比べ、一部のアイコンが異なっている。アイコン５０８は表示中の画像をＦＴＰ転送するためのアイコンである。アイコン５０９は、図３（ｄ）のアイコン３０９と同様であり、この場合もアイコン５０９を選択することによって動画を再生することができる。なお、動画の再生メニューの初期フォーカスは、アイコン５０９とする。動画の場合はＦＴＰ接続されている場合であっても再生を選択する可能性が最も高いことから、操作性をより向上させるために、アイコン５０９を初期フォーカスに設定している。
【００４２】
図５（ｅ）は、表示中の静止画のＦＴＰ転送中の画面を示しており、図５（ｃ）のアイコン５０４を選択することで静止画のＦＴＰ転送が開始される。静止画のＦＴＰ転送を行う場合には、静止画のリサイズは行わず、記録媒体２００に記録されたデータをそのまま転送するようにする。そのため、転送中は撮影を行ったり、他の画像に切り替えたりすることができ、別の画像に切り替えてＦＴＰ転送を行うこともできる。
【００４３】
図５（ｆ）は、表示中の動画のＦＴＰ転送中の画面を示しており、図５（ｄ）のアイコン５０８を選択することで動画のＦＴＰ転送が開始される。動画のＦＴＰ転送を行う場合には、動画のトランスコードは行わず、記録媒体２００に記録されたデータをそのまま転送するようにする。なお、動画を転送中か、静止画を転送中かにより、カメラ操作の制限に違いはない。そのため、転送中は撮影を行ったり、他の画像に切り替えたりすることができ、別の画像に切り替えてＦＴＰ転送を行うこともできる。
【００４４】
図６は、ＦＴＰ転送が可能な状態で接続されている場合の再生モードで、図４（ｂ）の画面で「する」が選択されている場合の表示例を示す図である。図６（ａ）は静止画の表示例を示しており、アイコン６０１はＳＥＴボタン７５を押下することでＦＴＰ転送できることを示している。なお、図６（ｂ）は動画の表示例を示しているが、図５（ｂ）に示す画面と同様である。
【００４５】
図６（ｃ）は、表示中の静止画のＦＴＰ転送中の画面を示しており、図６（ａ）に示す画面が表示されている時にＳＥＴボタン７５を押下することでＦＴＰ転送が開始される。この場合、ＳＥＴボタン７５を押下することで即転送を開始することができるが、図５（ｃ）に示したような静止画の再生メニューを表示することができない。
【００４６】
図６（ｄ）は、動画の再生メニューの画面を示しており、図５（ｄ）に示す画面と同様である。図４（ｂ）の画面で「する」が選択されているが、動画を再生できるようにすることを優先し、即転送を開始することはできないようになっている。
【００４７】
図６（ｅ）は、表示中の動画のＦＴＰ転送中の画面を示しており、図６（ｄ）のアイコン６０８を選択することで動画のＦＴＰ転送が開始される。基本的には図５（ｆ）に示す画面と同様である。
【００４８】
図７は、本実施形態に係るデジタルカメラ１００の再生モードにおける処理手順の一例を示すフローチャートである。なお、図７に示す各処理は、不揮発性メモリ５６に格納されたプログラムをシステムメモリ５２に展開してシステム制御部５０が実行することにより実現される。この処理は、枚の撮像画像を再生して表示している状態、より詳しくはクイックレビュー（撮影直後の確認表示中）あるいは再生モードにおけるシングル画像表示中に開始される。
【００４９】
まず、Ｓ７０１において、システム制御部５０は、表示部２８に表示中の画像が静止画（静止画ファイルの画像）か動画（動画ファイルの画像）かを判断する。この判断の結果、表示中の画像が静止画の場合はＳ７０２に進み、動画の場合はＳ７０６に進む。
Ｓ７０２においては、システム制御部５０は、システムメモリ５２に記憶された設定を確認し、ＦＴＰ転送が可能な接続状態（ＦＴＰによる無線接続状態）にあるか否かを判断する。この判断の結果、ＦＴＰ転送が可能な場合はＳ７０３に進み、そうでない場合はＳ７０４に進む。
【００５０】
Ｓ７０３においては、システム制御部５０は、図４に示す画面で設定可能な「ＳＥＴボタンで転送」の設定において、「する」に設定されているか否かを判断する。この判断の結果、「ＳＥＴボタンで転送」の設定で「する」に設定されている場合はＳ７０５に進み、そうでない場合（「しない」に設定されている場合）はＳ７０４に進む。
【００５１】
Ｓ７０４においては、システム制御部５０は、ＳＥＴボタンに関するガイドを非表示にして画像のみを表示部２８に表示し、Ｓ７０７に進む。ＳＥＴボタンに関するガイドとして、例えば図６（ａ）に示すアイコン６０１を非表示にする。
Ｓ７０５においては、システム制御部５０は、ＳＥＴボタンでＦＴＰ転送を開始することを示すガイドを画像に重ねて表示部２８に表示し、Ｓ７０７に進む。この処理では、例えば図６（ａ）に示すアイコン６０１を画像とともに表示する。
Ｓ７０６においては、システム制御部５０は、ＳＥＴボタンで動画再生を開始するための再生メニューへ導くことを示すガイドを画像に重ねて表示部２８に表示し、Ｓ７０７に進む。この処理では、例えば図３（ｂ）に示すアイコン３０１を画像とともに表示する。
【００５２】
Ｓ７０７において、システム制御部５０は、ユーザによりＳＥＴボタン７５が押されたか否かを判断する。この判断の結果、ＳＥＴボタン７５が押された場合はＳ７０８に進み、そうでない場合はＳ７２３に進む。
Ｓ７０８においては、システム制御部５０は、前述したＦＴＰ転送を開始することを示すガイドを表示しているか否かを判断する。この判断の結果、ＦＴＰ転送を開始することを示すガイドを表示している場合はＳ７０９に進み、そうでない場合はＳ７１０に進む。ＦＴＰ転送を開始することを示すガイドを表示している場合とはすなわち、表示部２８に表示された画像が静止画ファイルの画像で、ＦＴＰによる無線接続状態であり、「ＳＥＴボタンで転送」の設定で「する」に設定されている場合である。
Ｓ７０９において、システム制御部５０は、表示中の画像についてＦＴＰ転送を行い、Ｓ７０１に戻る。
【００５３】
Ｓ７１０においては、システム制御部５０は、表示中の画像とともに再生メニューを表示し、Ｓ７１１に進む。
Ｓ７１１においては、システム制御部５０は、システムメモリ５２に記憶された設定を確認し、ＦＴＰ転送が可能な接続状態にあるか否かを判断する。この判断の結果、ＦＴＰ転送が可能な接続状態である場合はＳ７１２に進み、そうでない場合はＳ７１３に進む。
【００５４】
Ｓ７１２においては、システム制御部５０は、再生メニューにＦＴＰ転送を行うアイテム表示し、Ｓ７１６に進む。例えば、図５（ｃ）に示すアイコン５０４、図５（ｄ）に示すアイコン５０８、または図６（ｄ）に示すアイコン６０８を表示する。
Ｓ７１６においては、システム制御部５０は、ユーザにより再生メニューのアイテムの中からＦＴＰ転送を行うアイテム（アイコン５０４）が選択されてＳＥＴボタン７５が押下された（以下、選択確定と称する）か否かを判断する。この判断の結果、ＦＴＰ転送を行うアイテムが選択確定された場合はＳ７０９に進み、そうでない場合はＳ７１７に進む。
【００５５】
一方、Ｓ７１３においては、システム制御部５０は、再生メニューにスマートフォンへ画像を送信するアイテムを表示し、Ｓ７１４に進む。例えば、図３（ｃ）に示すアイコン３０４、または図３（ｄ）に示すアイコン３０８を表示する。
【００５６】
Ｓ７１４においては、システム制御部５０は、ユーザにより再生メニューのアイテムの中からスマートフォンへ画像を送信するアイテム（アイコン３０４）が選択確定されたか否かを判断する。この判断の結果、スマートフォンへ画像を送信するアイテムが選択確定された場合はＳ７１５に進み、そうでない場合はＳ７１７に進む。
【００５７】
Ｓ７１５においては、システム制御部５０は、送信対象となる外部機器であるスマートフォンへ画像の送信を開始し、その後Ｓ７１７に進む。なお、デジタルカメラ１００とスマートフォンとがＷｉ−Ｆｉ接続していない状態である場合は、画像の送信処理を中断し、図３（ｅ）に示す画面を表示部２８に表示する。また、デジタルカメラ１００とスマートフォンとがＷｉ−Ｆｉ接続している状態である場合は、図３（ｆ）に示す画面を経由してスマートフォンへ画像を送信するとともに、図３（ｇ）に示す画面を表示部２８に表示する。
【００５８】
Ｓ７１７においては、システム制御部５０は、ユーザにより再生メニューのアイテムの中から動画を再生するアイテムが選択確定されたか否かを判断する。例えば、図３（ｄ）に示すアイコン３０９、または図５（ｄ）に示すアイコン５０９がユーザにより選択確定されたか否かを判断する。この判断の結果、動画を再生するアイテムが選択確定された場合はＳ７１８に進み、そうでない場合はＳ７１９に進む。
Ｓ７１８においては、システム制御部５０は、表示中の動画の再生を開始し、Ｓ７１９に進む。
【００５９】
Ｓ７１９においては、システム制御部５０は、ユーザにより再生メニューのアイテムの中からそれ以外のアイテムが選択確定されたか否かを判断する。例えば、図３（ｃ）に示すアイコン３０２、３０３などがユーザにより選択確定されたか否かを判断する。この判断の結果、それ以外のアイテムが選択確定された場合はＳ７２０に進み、そうでない場合はＳ７２１に進む。
Ｓ７２０においては、システム制御部５０は、選択確定されたアイテムに対応する処理を実行し、Ｓ７２１に進む。
【００６０】
Ｓ７２１においては、システム制御部５０は、再生メニューの表示を終了する操作があったか否かを判断する。本実施形態においては、操作部７０におけるその他のボタン（例えばＭＥＮＵボタン７７）を操作することにより、再生メニューの表示を終了させることができる。この判断の結果、再生メニューの表示を終了する操作があった場合はＳ７２２に進み、そうでない場合はＳ７１１に戻る。
Ｓ７２２においては、システム制御部５０は、再生メニューの表示を終了し、Ｓ７０１に戻る。
【００６１】
一方、Ｓ７２３においては、システム制御部５０は、再生を終了する操作があったか否かを判断する。ここで、再生を終了する操作とは、例えば、撮影モードへ移行するためのモード切替スイッチ６０の操作や、デジタルカメラ１００の電源をＯＦＦにするための電源スイッチ７２の操作などが該当する。この判断の結果、再生を終了する操作があった場合は処理を終了し、そうでない場合はＳ７２４に進む。
【００６２】
Ｓ７２４においては、システム制御部５０は、表示中の画像を変更する操作があったか否かを判断する。例えば、上下左右ボタン７４の左右ボタンまたは電子ダイヤル７１の操作があったか否かを判断する。この判断の結果、表示中の画像を変更する操作があった場合はＳ７２５に進み、そうでない場合はＳ７０１に戻る。
Ｓ７２５においては、システム制御部５０は、表示中の画像を操作に応じた別の画像に変更して表示部２８に表示し、Ｓ７０１に戻る。
【００６３】
以上のように本実施形態によれば、即時性が求められるＦＴＰ転送を行う場合には、静止画の転送を１操作で行うことができる。また、転送以外の処理を行いたい場合には再生メニューを表示することで転送に加え、その他の機能（画像プロテクトなど）も行うこともできる。一方で、転送する動画を選択するために動画を再生する必要があった場合に、安易に転送してしまった場合にその間は再生する手段がなくなってしまう。また、動画のファイルサイズは静止画のファイルサイズに比べ大きく、転送に時間がかかるので、静止画ほど簡単に転送できないほうがよい。そのため、動画を転送する場合には、１操作では行うことができないようにした。
【００６４】
（その他の実施形態）
なお、システム制御部５０が行うものとして説明した上述の各種制御は、１つのハードウェアが行ってもよいし、複数のハードウェアが処理を分担することで、装置全体の制御を行ってもよい。
【００６５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６６】
また、上述した実施形態においては、本発明をデジタルカメラに適用した場合を例にして説明したが、これはこの例に限定されず、静止画又は動画を転送可能な電子機器であれば適用可能である。すなわち、本発明はパーソナルコンピュータやＰＤＡ、携帯電話端末や携帯型の画像ビューワ、ディスプレイを備えるプリンタ装置、デジタルフォトフレーム、タブレット端末、スマートフォンなどに適用可能である。
【００６７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６８】
５０  システム制御部
【図１】
2019197949.tif 000003
【図２】
2019197949.tif 000004
【図３】
2019197949.tif 000005
【図４】
2019197949.tif 000006
【図５】
2019197949.tif 000007
【図６】
2019197949.tif 000008
【図７】
2019197949.tif 000009